(57)【要約】【課題】隣り合うランプ管から照射されたランプ光を有効に利用して、器具効率を上げることができる照明器具を提供する。【解決手段】隣接する発光管１１の間に反射板２０を設けたので、発光管１１から照射され、隣接する発光管１１に向かうランプ光ＬＢを、反射版２０により所望の方向へ反射することができる。これにより、ランプ光ＬＢが有効利用され、器具効率が向上することとなる。また、発光管１１から照射されたランプ光ＬＢが隣接する発光管１１に当たらないため、眩しくなく、均一な照射面を得ることができ、発光管１１の温度上昇抑えることができる。【選択図】図１
2009283405.tif 000002
【特許請求の範囲】
【請求項１】
同一平面上で１本または複数本の発光管が所定間隔で設けられた蛍光ランプであって、
隣接する前記発光管の間に反射板を設けたことを特徴とする蛍光ランプ。
【請求項２】
前記反射板が、前記発光管に当接していることを特徴とする請求項１記載の蛍光ランプ。
【請求項３】
請求項１に記載の蛍光ランプを装着した照明器具であって、
前記反射板が、前記蛍光ランプを支持する器具本体に当接していることを特徴とする照明器具。
【発明の詳細な説明】
【技術分野】
【０００１】
本発明は、同一平面上に発光管が所定間隔で設けられている蛍光ランプおよびこの蛍光ランプを装着できる照明器具に関するものである。
【背景技術】
【０００２】
図７に示すように、従来の照明器具に用いられる螺旋形状の蛍光ランプ１００は、一連の屈曲ガラス管１０１からなる放電路が、管中央部１０２を中心として略一平面上で渦巻状に旋回された二重渦巻き形状を有している。そして、略対向して離れた両端部、すなわち管端部１０３ａ、１０３ｂには、各々口金１０４が設けられ、各口金１０４からは１対のランプピン１０５が突出して設けられている。また、両管端部１０３ａ、１０３ｂ間にはブリッジ１０６が設けられている（例えば特許文献１参照）。
【特許文献１】特開２００７−２７３３３６号公報（第２図）
【発明の開示】
【発明が解決しようとする課題】
【０００３】
しかしながら、前述した蛍光ランプ１００のように、隣り合う管がある場合、屈曲ガラス管１０１から照射されたランプ光は隣り合う屈曲ガラス管１０１に当たるため、有効利用されないランプ光があり、器具効率が悪いという問題があった。また、隣り合う屈曲ガラス管１０１に当たるランプ光は、輝度を上げるため眩しいという問題がある。さらに、隣からのランプ光が当たることにより、屈曲ガラス管１０１の温度が上がるという問題がある。
【０００４】
本発明は、従来の問題を解決するためになされたもので、隣り合うランプ管から照射されたランプ光を有効に利用して、器具効率を上げることができる照明器具を提供することを目的とする。
【課題を解決するための手段】
【０００５】
本発明の蛍光ランプは、同一平面上で１本または複数本の発光管が所定間隔で設けられた蛍光ランプであって、隣接する前記発光管の間に反射板を設けた構成を有している。
【０００６】
この構成により、隣接する発光管の間に反射板を設けたので、発光管から照射され、隣接する発光管に向かうランプ光を、反射版により所望の方向へ反射することができる。これにより、ランプ光が有効利用され、器具効率が向上することとなる。また、発光管から照射されたランプ光が隣接する発光管に当たらないため、眩しくなく、均一な照射面を得ることができ、発光管の温度上昇抑えることができる。
【０００７】
また、本発明の蛍光ランプは、前記反射板が、前記発光管に当接している構成を有している。
【０００８】
この構成により、反射板が発光管同士を固定しているため、発光管の強度がアップする。
【０００９】
さらに、本発明の照明器具は、請求項１に記載の蛍光ランプを装着した照明器具であって、前記反射板が、前記蛍光ランプを支持する器具本体に当接している構成を有している。
【００１０】
この構成により、隣接する発光管の間に反射板を設けたので、発光管から照射され、隣接する発光管に向かうランプ光を、反射版により所望の方向へ反射することができる。これにより、ランプ光が有効利用され、器具効率が向上する。また、照明器具に装着する蛍光ランプの隣接する発光管の間に設けられた反射板が、照明器具の器具本体に当接しているので、発光管の熱が器具本体に伝達され、発光管の温度を下げることができる。
【発明の効果】
【００１１】
本発明は、隣接する発光管の間に反射板を設けたので、発光管から照射され、隣接する発光管に向かうランプ光を、反射版により所望の方向へ反射することができる。これにより、ランプ光が有効利用され、器具効率が向上することとなる。また、発光管から照射されたランプ光が隣接する発光管に当たらないため、眩しくなく、均一な照射面を得ることができ、発光管の温度上昇抑えることができるという効果を有する照明器具を提供することができるものである。
【発明を実施するための最良の形態】
【００１２】
以下、本発明の実施の形態の照明器具について、図面を用いて説明する。
図１は本発明の実施形態にかかる蛍光ランプを示す平面図である。
【００１３】
図１に示すように、本発明の実施形態にかかる蛍光ランプ１０および照明器具３０に用いられる蛍光ランプ１０は、１本の発光管１１が、管中央部１２を中心として略一平面上で渦巻状に旋回された二重渦巻き形状を有している。従って、発光管１１の内側あるいは外側には、所定間隔で隣接する発光管１１が存在することになる。発光管１１の略対向して離れた位置にある両端部１３ａ、１３ｂには、各々口金１４が設けられ、各口金１４からは１対のランプピン１５、１５が突出して設けられている。
【００１４】
そして、隣接する発光管１１の間には、反射板２０が設けられている。反射板２０の大きさは、少なくとも、一方の発光管１１の中心と、隣接する他方の発光管１１の外周面との上下接点を結ぶ範囲を覆うものであれば良い。
【００１５】
以上、説明した本発明の実施形態にかかる蛍光ランプ１０によれば、隣接する発光管１１の間に反射板２０を設けたので、発光管１１から照射され、隣接する発光管１１に向かうランプ光を、反射版２０により所望の方向へ反射することができる。これにより、ランプ光が有効利用され、器具効率が向上することとなる。また、発光管１１から照射されたランプ光が隣接する発光管１１に当たらないため、眩しくなく、均一な照射面を得ることができ、発光管１１の温度上昇抑えることができる。
【００１６】
（実施例−１）
図２に示すように、隣接する発光管１１ａ、１１ｂの間には、平板状の反射板２１が設けられている。一方の発光管１１ａから発せられたランプ光ＬＢは、反射板２１に当たって反射光として上下方向に反射されるので、隣接する発光管１１ｂにはランプ光ＬＢは当たらない。
これにより、前述したように、眩しくなく、均一な照射面を得ることができ、発光管１１の温度上昇抑えることができる。
【００１７】
（実施例−２）
図３に示すように、隣接する発光管１１ａ、１１ｂの間には、楕円形状の断面を有する反射板２２が設けられている。一方の発光管１１ａから発せられたランプ光ＬＢは、反射板２２に当たって上下方向に反射光として反射されるので、隣接する発光管１１ｂにはランプ光ＬＢは当たらない。
これにより、実施例−１と同様の効果を得ることができる。さらに、楕円形状を変えることにより、反射光の方向を設定することができる。
【００１８】
（実施例−３）
図４に示すように、隣接する発光管１１ａ、１１ｂの間には、ひし形状の反射板２３が設けられている。一方の発光管１１ａから発せられたランプ光ＬＢは、反射板２３に当たって反射光として上下方向に反射されるので、隣接する発光管１１ｂにはランプ光ＬＢは当たらない。
これにより、実施例−１と同様の効果を得ることができる。さらに、ひし形を構成する面の傾斜角度を変えることにより、反射光の方向を設定することができる。
【００１９】
（実施例−４）
図５に示すように、隣接する発光管１１ａ、１１ｂの間には、六角形状の断面を有する反射板２４が設けられており、反射板２４の左右両先端部２４ａ、２４ｂは、それぞれ発光管１１ａ、１１ｂに当接している。一方の発光管１１ａから発せられたランプ光ＬＢは、反射板２２に当たって上下方向に反射光として反射されるので、隣接する発光管１１ｂにはランプ光ＬＢは当たらない。
これにより、実施例−１と同様の効果を得ることができる。さらに、反射板２４が発光管１１ａ、１１ｂ同士を固定しているため、発光管１１の強度がアップし、従来設けられて板ブリッジ（図７参照）を省略することができる。
【００２０】
（実施例−５）
図６に示すように、隣接する発光管１１ａ、１１ｂの間には、六角形状の断面を有する反射板２５が設けられており、反射板２５の左右両先端部２５ａ、２５ｂは、それぞれ発光管１１ａ、１１ｂに当接している。さらに、反射板２５には支持部２５ｃが設けられており、支持部２５ｃは器具本体３１に取付けられている。
これにより、実施例４と同様の効果を得ることができるとともに、さらに、反射板２５の支持部２５ｃが照明器具３０の器具本体３１に当接しているので、発光管１１の熱が器具本体３１に伝達され、発光管１１の温度を下げることができる。また、最冷点の温度を下げることができるので、蛍光ランプ１０の効率を向上させることができる。
【００２１】
なお、本発明の照明器具は、前述した実施形態に限定されるものでなく、適宜な変形，改良等が可能である。
例えば、前述した実施形態においては、同一平面上で発光管１１が所定間隔で設けられた蛍光ランプ１０および照明器具３０に用いられる蛍光ランプ１０として、１本の発光管１１が、管中央部１２を中心として略一平面上で渦巻状に旋回された二重渦巻き形状を有するものを例示したが、これに限らず、円形をした蛍光ランプを同心上に内外に配置したものや、直管を一定間隔で平行に配置したものにも適用可能である。
【図面の簡単な説明】
【００２２】
【図１】本発明の実施形態にかかる蛍光ランプを示す平面図
【図２】第１実施例における反射板を示す断面図
【図３】第２実施例における反射板を示す断面図
【図４】第３実施例における反射板を示す断面図
【図５】第４実施例における反射板を示す断面図
【図６】第５実施例における反射板を示す断面図
【図７】（Ａ）は従来の蛍光ランプを示す平面図、（Ｂ）は断面図
【符号の説明】
【００２３】
１０  蛍光ランプ
１１  発光管
２０  反射板
３０  照明器具
３１  器具本体
【図１】
2009283405.tif 000003
【図２】
2009283405.tif 000004
【図３】
2009283405.tif 000005
【図４】
2009283405.tif 000006
【図５】
2009283405.tif 000007
【図６】
2009283405.tif 000008
【図７】
2009283405.tif 000009